(57)【要約】【課題】コードを引き回すことなく枕元に容易に仮設でき、消灯し忘れにより長時間の無用なエネルギー消費や発熱などを防ぎ、安心安全に就寝前の短時間、簡易簡便に枕元を照らして便宜を提供することができる照明器具を提供する。【解決手段】電池を照明用電源とし、照明器具上のワンタッチ押しボタンを押すことでその後一定時限照明灯が点灯し、時限後自動的に消灯する駆動電流制御部を内蔵したＬＥＤ発光体を用いた枕灯を実現した。また、時限を越えて照明を点灯したいときは消灯後容易に押すことが可能なワンタッチ押しボタンを再度押すことで実質的照明時間を簡単に延長可能にして構成を単純化して簡便性を確保し低価格化を実現した。【選択図】図１
2011222335.tif 000002
【特許請求の範囲】
【請求項１】
コードを引き回すことなく枕元に容易に仮設して用いることが可能なコードレス枕灯１０において、
照明電源として機能する電池２２を台座部２０に内蔵でき、発光体５０の常時モードは消灯状態であり、台座部２０に設けられた押しボタンスイッチ３０の操作のみで一定時間ＬＥＤ発光体５０が点灯し、その後自動的に駆動電流が遮断されて消灯することを特徴とするコードレス枕灯１０。
【請求項２】
押しボタンスイッチ１個を押し下げる操作のみで時限点灯、時限延長点灯とその回数積算、強制消灯が可能であることを特徴とする請求項１のコードレス枕灯１０。
【発明の詳細な説明】
【技術分野】
【０００１】
本発明は、コードなしで使用できるコードレス照明器具に関するものである。
【背景技術】
【０００２】
一般に枕元において就寝前の短時間の読書やメモ付けなどに用いる仮設型の照明器具はコード付き或いはコードレス共に従来から実用されているが、発熱を伴う発光体を使用する照明方法のため時には加熱発火などの危険性が気になり、点灯したまま睡眠してしまった場合は電力が長時間無駄に費やされるので、より安全で安心感があり容易簡便に利用できる枕灯の実現が期待されていた。
【先行技術文献】
【特許文献】
【０００３】
【特許文献１】特許公開平１０−１２５１０３
【特許文献２】特許公開２００５−１１６４９１
【特許文献２】実用新案公開平７−４１８４４
【発明の概要】
【発明が解決しようとする課題】
【０００４】
就寝前の短時間、床に入って読書をしたり、メモを取ったりしたいことがある。そのために卓上或いは机上設置用のスタンドを枕元に引っ張ってくるのは面倒である。また、就寝場所によっては枕元と壁コンセント間に距離がありコードの引き回しが困難な場合もある。また、またコード式照明具は電源スイッチがコード途中に設けられたものがありこの場合は床に入った後のスイッチ操作が極めてし辛い。また、単なるＯＮ／ＯＦＦスイッチ付きの照明器具では枕元を照らしたまま睡眠に落ちることもあってエネルギー消費の無駄のみならず危険でもあった。更にまた、時限自動消灯機能付きの場合は使用の最中に自動消灯した場合再点灯に手間がかかる不便さがあった。
【０００５】
本発明は上記に鑑み、
（１）コードの引き回しが必要なく簡単に枕元に仮設でき、
（２）発熱の少ないエネルギー利用効率が高いLEDを発光体として用い、
（３）コンセント位置を気にせず自在に仮設でき、
（４）低電力消費で簡便に枕元を照らすことができ、
（５）通常を消灯モードとし、一定時間のみの時限機能で点灯するので消し忘れの心配が無く、
（６）照明使用中に時限が満ちたときはワンタッチで簡単に時限延長ができ、
（７）操作は押しボタンスイッチ1個のみで時限点灯、再点灯が可能な
枕灯を実現する。
【課題を解決するための手段】
【０００６】
上記を達成するための本発明のコードレス枕灯は、コードを接続せずに就寝場所の枕元に簡単に仮設して枕元を照らすことができる枕灯において、
（１）電池を装着した電池ホルダ或いは電池マガジンと照明灯駆動電流制御部とを内部に備え、表面に１個の時限開始用押しボタンスイッチを備えた台座部と、
（２）その先端にＬＥＤ発光体を備えた台座から立ち上がった支持部とからなることを特徴とするものである。
【０００７】
ここで、前記台座部は、
（３）安定に枕灯全体を保持できるよう底面を扁平とし、天面は緩やかな曲面の薄型の略饅頭型、略野球の塁ベース型であり、
（４）発光体を備えた支持部以外に、照明使用中に眠りに落ちた使用者が額などなどをぶつけても怪我をすることが無い様に、角を持つ突起が無いことが好ましく、
（５）底面は本コードレス枕灯自身を安定に仮設できるよう、適当な重量の例えば鉄板製などで重心を十分に低くすることが好ましい。
（６）底面の一部は好ましくは工具無しで開閉可能な蓋であり、この蓋を開いた場合に生じる開口部を電池交換窓として電池交換或いは電池を電池ホルダに入れた電池マガジンが容易に交換できることが好ましい。
【０００８】
また、前記電池ホルダは、
（７）一次電池用の物であってもよく、
（８）二次電池用の物であってもよく、
（９）電池交換は電池単体で実施できてもよく、
（１０）電池を装填した電池マガジン単位で交換できてもよい。
【０００９】
また前記駆動電流制御部は、
（１１）台座部に設けられた単一のモーメンタリ式押しボタン信号のみで操作可能とし、
（１２）常時は駆動電流が遮断されていて、前記ボタンスイッチの操作により一定時限駆動電流が発光体に接続され、前記時限の延長ができ、再起動が行える物であってもよく、
（１３）所定の時限後には駆動電流は自動的に遮断状態に戻るものであって、
（１４）ＬＥＤ発光体に供給する駆動電流をほぼ一定の電流値に制限するものであってもよい。
【００１０】
また、前記台座に設けられた押しボタンスイッチは、
（１５）１個で、単極単投のモーメンタリモードの無電圧接点を本発明の枕灯使用者が行う押しボタン押し下げにより前記駆動制御部に与えるものであってもよい。
【００１１】
また、ＬＥＤ発光体は、
（１４）可能な範囲で高輝度白昼色型のＬＥＤであることが好ましく
（１５）個々のＬＥＤ発光体が断線したとき暗闇にならないようフェイルセイフ目的で複数個を並列接続したものであってもよい。
【発明の効果】
【００１２】
本発明の枕灯はコードレス使用ができる形態を備え電池を照明用電源とするので枕元に置く際にコードの引き回しに煩わされることがなく、電池以外に特別な電源設備を持たないので枕灯を低価格で実現できる。
また、
【００１３】
駆動電流制御部は台座上に設けられた押しボタンスイッチ１個のみによりに操作できるので、ともすると思考活動が緩慢になった就床前においては操作が簡単容易で便利である。
また、
【００１４】
駆動電流制御部は駆動電流が遮断されたモードを常時のモードとし、接続された単一の押しボタンを押し下げる操作のみで駆動電流を一定時限のみ発光体に接続して照明を動作させ、或いは時限を延長し、再起動でき、さらに或いは強制的に時限満了にして照明を遮断できて自在な使用ができ便利である。
また、
【００１５】
照明駆動電流制御部が発光体に接続した駆動電流はどのような動作モードであっても常に時限満了にむけて時限制御されるので、照明使用中に期せずして眠りに落ちても長時間点灯したままになることがない。
【図面の簡単な説明】
【００１６】
【図１】（Ａ）は本発明のコードレス枕灯を示す外観斜図であり、（Ｂ）は前後方向断面を左側面から見た断面図である。
【００１７】
【図２】は本発明のコードレス枕灯の構成図である。
【発明を実施するための形態】
【００１８】
本発明は、コードレスであって簡単に枕元に仮設して用いることができる枕灯において実現された。
【実施例１】
【００１９】
図１と図２を参照して、本発明の実施例１を説明する。
【００２０】
図１（Ａ）は本発明のコードレス枕灯の外観斜図であり、図１（Ｂ）はその前後中央部断面を左側から見た断面図である。図２は本発明のコードレス枕灯の構成図である。
【００２１】
本発明のコードレス枕灯１０は底面が扁平で天面が緩やかな曲面を形成した薄型の略饅頭型或いは略野球の塁ベース型の台座部２０のほぼ中央部天面に容易に手のひらや指で触れることができる好ましくは大き目の押しボタンスイッチ３０が設けられ、天面の略端部からはその先端にＬＥＤ発光体５０が据え付けられた略垂直上向き方向に立ち上がった支持部４０が備えられていて、支持部４０は一旦上方向に伸びた後屈曲して下方向に向けることができる。
【００２２】
前記台座部２０の底面には３箇所のゴム足２６または角のない設置時に脚として機能する突起が設けられ、それらに囲まれた内側の面内に電池ホルダ２１に装着した電池２２の出し入れ或いは電池を実装した電池マガジンの出し入れが可能な大きさの開口部が設けられ、工具なして開閉できる蓋２５が備えられている。
【００２３】
台座２０内の電池２２が装着された電池ホルダ２１或いは電池を装填した電池マガジンは駆動電流制御部２３に接続され、支持部４０先端のＬＥＤ発光体５０の配線は支持部５０内部を経由して駆動電流制御部２３に接続されているが駆動電流制御部の通常時はＬＥＤ発光体５０に対し駆動電流を供給しない遮断モードになっている。
【００２４】
台座２０の天面に設けられた押しボタンスイッチ３０が押されると駆動電流制御部２３は押しボタンスイッチ信号を時限開始要求信号として受け取り、駆動電流制御部は時限駆動モードに遷移して駆動電流が前記ＬＥＤ発光体５０に供給されて一定時限に限り照明が点灯する。時限は押しボタンスイッチ３０が例えば押されたときに計時開始しても或いは戻されたときに計時開始してもよい。
その後時限満了すると駆動電流制御部２２は自動的に遮断モードに復帰し、照明は消灯する。
ここで、
【００２５】
駆動電流制御部２３は時限駆動モードに在るときに押しボタンスイッチ３０が重ね押しされた場合は時限計時を初期化して再度時限計時させることで時限延長してもよい。
ここで、
【００２６】
支持部先端のＬＥＤ発光体５０は好ましくは２個以上が並列接続して用いられ、夫々には低抵抗値の抵抗器が直列に接続されていると、他の素子に比べて比較的故障しやすいＬＥＤ発光体の断線に対してフェイルセーフ効果をもたせることができる。ここで、前記抵抗器は駆動電流制御部２３内に設けられていてもよい。
【実施例２】
【００２７】
図１と図２を参照して、本発明の実施例２を説明する。
本実施例２における本発明のコードレス枕灯の外観、構成は上記実施例１におけるコードレス枕灯と全く同じであり、本実施例２においては駆動電流制御部２３の動作モード数とその遷移条件のみが実施例１とは異なる。
【００２８】
本発明のコードレス枕灯１０は底面が扁平で天面が緩やかな曲面を形成した薄型の略饅頭型或いは略野球の塁ベース型の台座部２０のほぼ中央部天面に容易に手のひらや指で触れることができる好ましくは大き目の押しボタンスイッチ３０が設けられ、天面の略端部からはその先端にＬＥＤ発光体５０が据え付けられた略垂直上向き方向に立ち上がった支持部４０が備えていて、支持部４０は一旦上方向に伸びた後屈曲して下方向に向けることができる。
【００２９】
前記台座部２０の底面には３箇所のゴム足２６または角のない設置時に脚として機能する突起が設けられ、それらに囲まれた内側の面内に電池ホルダ２１に装着した電池２２の出し入れ或いは電池を実装した電池マガジンの出し入れが可能な大きさの開口部が設けられ、工具なして開閉できる蓋２５が備えられている。
【００３０】
通常時の駆動電流制御部２３の動作モードは遮断モードに在って発光体５０への駆動電流は遮断されているが、この状態で台座２０の天面に設けられた押しボタンスイッチ３０が押されると駆動電流制御部２３は押しボタンスイッチ信号を時限開始要求信号として受け取り、駆動電流制御部は時限駆動モードに遷移して駆動電流が前記ＬＥＤ発光体５０に供給されて照明が点灯する。時限は押しボタンスイッチ３０が例えば押されたときに計時開始しても或いは戻されたときに計時開始してもよい。その後時限満了すると駆動電流制御部は自動的に駆動電流は遮断モードに復帰し、照明は消灯する。
【００３１】
時限駆動モード中に改めて前期押しボタンスイッチ３０が押されると駆動電流制御部２３は時限延長モードに遷移してその時点の時限駆動モードの終了後に自動的に時限駆動モードが追加されて時限が延長される。つまり、この場合、単独の時限駆動モードの２倍の時限発光体への駆動電流は出力される。  台座２０の天面に設けられた押しボタンスイッチ３０が押されると駆動電流制御部２３は押しボタンスイッチ信号を時限開始要求信号として受け取り、駆動電流制御部２３は時限駆動モードに遷移して駆動電流が前記ＬＥＤ発光体５０に供給されて一定時限に限り照明が点灯する。時限は押しボタンスイッチ３０が例えば押されたときに計時開始しても或いは戻されたときに計時開始してもよい。その後時限満了すると駆動電流制御部２３は自動的に駆動電流は遮断モードに復帰し、照明は消灯する。
【００３２】
支持部先端のＬＥＤ発光体５０は好ましくは２個以上が並列接続して用いられ、夫々には低抵抗値の抵抗器が直列に接続されていると、他の素子に比べて比較的故障しやすいＬＥＤ発光体の断線に対してフェイルセーフ効果をもたせることができる。前記抵抗器は駆動電流制御部２３内に設けられていてもよい。
【実施例３】
【００３３】
図１と図２を参照して、本発明の実施例３を説明する。
本実施例３における本発明のコードレス枕灯の外観、構成は上記実施例１ならびに実施例２におけるコードレス枕灯と全く同じであり、本実施例３においては駆動電流制御部の動作モード数とその遷移条件のみが実施例１ならびに実施例２とは異なる。
【００３４】
本発明のコードレス枕灯１０は底面が扁平で天面が緩やかな曲面を形成した薄型の略饅頭型或いは略野球の塁ベース型の台座部２０のほぼ中央部天面に容易に手のひらや指で触れることができる好ましくは大き目の押しボタンスイッチ３０が設けられ、天面の略端部からはその先端にＬＥＤ発光体５０が据え付けられた略垂直上向き方向に立ち上がった支持部４０が備えていて、支持部４０は一旦上方向に伸びた後屈曲して下方向に向けることができる。
【００３５】
前記台座部２０の底面には３箇所のゴム足２６または角のない設置時に脚として機能する突起が設けられ、それらに囲まれた内側の面内に電池ホルダ２１に装着した電池２２の出し入れ或いは電池を実装した電池マガジンの出し入れが可能な大きさの開口部が設けられ、工具なして開閉できる蓋２５が備えられている。
【００３６】
通常時の駆動電流制御部２３の動作モードは遮断モードに在って発光体５０への駆動電流は遮断されているが、この状態で台座２０の天面に設けられた押しボタンスイッチ３０が押されると駆動電流制御部２３は押しボタンスイッチ信号を時限開始要求信号として受け取り、駆動電流制御部２３は時限駆動モードに遷移して駆動電流が前記ＬＥＤ発光体５０に供給されて照明が点灯する。時限は押しボタンスイッチ３０が例えば押されたときに計時開始しても或いは戻されたときに計時開始してもよい。その後時限満了すると駆動電流制御部２３は自動的に遮断モードに復帰し、照明は消灯する。
【００３７】
時限駆動モード中に改めて前期押しボタンスイッチ３０が押されると駆動電流制御部２３は時限延長モードに遷移してその時点の時限駆動モードの終了後に自動的に時限駆動時間が追加されて時限が延長される。追加される時限延長モードの数は駆動電流制御部２３内の記憶器を利用して記憶し、その記憶可能数は予め設計時点で決定するが、駆動電流制御部２３内に設定変更機能を設けて設定変更できるようにしてもよい。
【００３８】
例えばその数を２とした場合は追加され時限延長モード数は最大２まで記憶され１つの時限が満了するごとに記憶された数は１つ減じられる。従って、重ねて押しボタンスイッチ３０が押されて時限駆動モードの延長数が２になった場合、単独の時限駆動モードの３倍の時限分につき発光体５０への駆動電流が出力される。その後時限満了すると駆動電流制御部２３は自動的に駆動電流は遮断モードに復帰し、照明は消灯する。
【００３９】
前記駆動電流制御部２３が時限延長モードに在って既に駆動電流制御部２３に記憶しているその延長数が２であるとき、さらに前記押しボタンスイッチ３０が押された場合は駆動電流制御部２３を強制的に遮断モードに遷移させてもよい。このようにすると照明を使用している途中で消灯したい要求が生じた場合にも容易に対応できる。
【符号の説明】
【００４０】
１０  コードレス枕灯
２０  台座部
２１  電池ホルダ、電池マガジン
１０
２２  電池
２３  駆動電流制御部
２３ａ  記憶器
２４  安定底板
２５  電池交換窓蓋
２６  ゴム足或いは足用突起
３０  時限開始押しボタンスイッチ
４０  支持部
５０  発光体、ＬＥＤ
【図１】
2011222335.tif 000003
【図２】
2011222335.tif 000004